(57)【要約】【課題】  非常に高い記憶効果を有する軽量の椅子家具（５）構造に関する。椅子家具は、軽量のものであり、球状として構築された場合には着席負荷が取り除かれた後に完全に球状に復帰するものであり、このことによって例えば床を転がすことにより容易に運搬することができる。【解決手段】  軽量の椅子家具（５、９）構造は、着席負荷によって変形するようなシェル構造であって、人間がその上に乗った場合のこの小さなシェル構造の一時的な形状復帰性質を支援して促進するための複数の比較的小さな形状復帰粒子により満たされるシェル構造を備えている。シェル構造は、原形復帰の性質を有する多孔性の天然物またはプラスチック材料から製造された幾何学的形状の空気浸透性のシェル形成シート部分（７、８）からなり、その結果、シェル構造は、記憶効果を有する柔軟性のある骨組みとしての性質を得ている。粒子は、（発泡スチロール粒子のような）プラスチック材料の天然物から製造され、適合する空気浸透性のカバーに選択的に詰め込まれている。シェル構造の外面はカバー（１０）または印刷物のような所望の装飾された外面となっている。さらに椅子家具（５、９）は高い美的価値を有し、その結果広告およびマーケッティング目的に適するものであってもよい。
2006502792.tif 000002
【特許請求の範囲】
【請求項１】
とりわけ外観が球状、または円筒形のような他の３次元の幾何学的形状となっている軽量の椅子家具構造であって、記憶効果を有するような、すなわち、変形の原因となっている（着席者により生じる）着席負荷が取り除かれた後に椅子家具構造が完全に原形に復帰するような軽量の椅子家具構造において、
ａ．着席負荷によって変形するようなシェル構造であって、原形に復帰する性質を有する多孔性の天然物またはプラスチック材料から製造された幾何学的形状の空気浸透性のシェル形成シート部分を有し、当該シェル構造は記憶効果を有する柔軟性のある骨組みの性質を備え、このシェル構造の外面はカバーまたは印刷物のような所望の装飾された外面となっており、さらに部分的に充満されるのに適合するような中空の内部空間を内部に有するようなシェル構造と、
ｂ．一旦人間がその上に座ったシェル構造の一時的な形状復帰性質を支援して促進する複数の比較的小さな形状復帰粒子であって、これらの粒子は（発泡スチロール粒子のような）プラスチック材料の天然物から製造されるとともに、適合する空気浸透性のカバーに選択的に詰め込まれるような複数の比較的小さな形状復帰粒子と、
を備えたことを特徴とする軽量の椅子家具構造。
【請求項２】
柔軟性のある骨組みは、共にシェルを形作る複数の幾何学的形状の空気浸透性のシート部分とともに得られ、各シート部分は接着手段により相互に連結して３次元の幾何学的形状のシェルを形成するようになっていることを特徴とする請求項１に記載の記憶効果を有する軽量の椅子家具構造。
【請求項３】
柔軟性のある構造における良好な記憶効果の作用は、例えばプラスチック材料から製造された適合する異なる骨組み部分を、３次元形状の幾何学的部分として、シェル構造に完全に結合させることにより得られることを特徴とする請求項１に記載の記憶効果を有する軽量の椅子家具構造。
【請求項４】
シェル構造における幾何学的形状の３次元シェル部分は、三角形、正方形、四角形、五角形、六角形などの幾何学的に多角形のものとなっていることを特徴とする請求項１または２に記載の軽量の椅子家具構造。
【請求項５】
シェル構造の外観が、四面体、立方体、八面体、十二面体、二十面体、切頂四面体、立方八面体、切頂立方体、切頂八面体、斜方立方八面体、斜方切頭立方八面体、ねじれ立方体、二十・十二面体、切頂十二面体、切頂二十面体、斜方二十・十二面体、斜方切頭二十・十二面体等またはこれらを組み合わせた（混合）形状のような、不完全な球状のものであることを特徴とする請求項１乃至４のいずれか一項に記載の軽量の椅子家具構造。
【請求項６】
請求項１乃至５のいずれか一項に記載の球状の軽量の椅子家具構造を用いることにより得られる軽量の椅子家具において、大きな遊技用ボールまたは惑星（地球、月等）の形状となっている、および／または外面に１または複数の画像、カラー領域、広告、ロゴ等が形成されていることを特徴とする軽量の椅子家具。
【請求項７】
請求項１乃至６のいずれか一項に記載の球状の軽量の椅子家具構造を用いることにより得られる軽量の椅子家具において、幾何学的に形づけられた空気浸透性のシェル形成シート部分は、外径が５０ｃｍ以上２００ｃｍ以下であり壁の厚さが少なくとも３ｃｍであって２０ｃｍ以下であることを特徴とする軽量の椅子家具。
【発明の詳細な説明】
【技術分野】
【０００１】
本発明は、非常に大きな記憶効果を有する軽量の椅子家具に関する。この椅子家具構造を適用することにより得られる椅子家具は軽量のものであり、球状として構築された場合には着席負荷が取り除かれた後に完全に球状に復帰するものであり、このことによって例えば床を転がすことにより容易に運搬することができるものである。さらに、椅子家具は高い美的価値を有していてもよく、このため広告およびマーケッティング目的に適切なものとなっている。
【背景技術】
【０００２】
公知の球状の軽量の椅子家具は、中空の、通気性のないまたは膨らませることができる複数の球状部分により構築されている。各球状部分は、天然物（例えばゴム）またはプラスチック材料（例えばポリ塩化ビニル）により製造されている。必要とされる球形形状を得るために、中空の内部空間は例えば空気のようなガスにより満たされており、椅子家具の外面に取り付けられた空気バルブによりシールされている。バネ作用、言い換えるとこの椅子家具の座り心地は、完全に密閉された内部空間のガス圧力と、関連する材料の必要とされる（通常は高い）表面張力との組合せによって決まる。球状の椅子家具において必要とされる表面張力に達するためには、比較的高いガス圧力を適用しなければならず、このことは最適な座り心地を得るのに不利となる。一方においては、着席の安定性が非常に悪くなり、他方においてはバネ作用が大きく制限されたままとなる。さらに、この椅子家具は周囲の温度の変化の影響を受けやすく、その結果、内部空間における非常に低い／非常に高いガス圧力が直接的に形状および着席性能に影響を与えることとなる。さらに、椅子家具が外で用いられるときには尖った物の物理的ダメージの影響を受けやすいという制約がある。他の実施の形態において、米国特許第６２７９１８４号によれば、球状の椅子家具は、厚さが薄くガス浸透性を有する内部部分および外部部分を備えている。この椅子家具は、座り心地および形状復帰性質を良好なものとするため、複数の発泡ポリウレタン粒子により満たされている。この物体の本質部分はシェル部分の特別なデザインに基づいており、正方形のシェル部分を間に挟みながら２つの平行に位置する円形部分を相互に連結させることにより球形形状が得られる。
【発明の開示】
【発明が解決しようとする課題】
【０００３】
この構造には、いわゆる記憶効果が十分に存在しない。記憶効果とは、言い換えると、着席者の重量負荷により生じる変形が、この人間が立つことにより消えるような性質のことをいう。他の大きな不利な点は、２つのシェルを有する複雑な構造となっていることにあり、その結果物理的ダメージの影響を大きく受けてしまう。
【０００４】
本発明による特別な実施の形態においては、記憶効果を有する新しい軽量の椅子家具構造が、上述の問題点の最適な解決法を提供する。ここで、記憶効果とは、大きな変形の原因となっている着席者により生じる着席負荷が取り除かれた後に、椅子家具構造が完全に原形に復帰することを示すものとして理解されよう。
【課題を解決するための手段】
【０００５】
本発明の本質部分は、特別な椅子家具構造を適用することにある。この椅子家具構造は、空気浸透性の複数の幾何学的形状のシェル形成シート部分を有する原形復帰骨組みを備えている。このシート部分は接着手段により相互に連結して球状シェルとなっている。前述のシート部分は、多孔性の原形復帰を行う例えば発泡ゴムのような天然材料、またはポリエチレンのようなプラスチック材料あるいはマットレスのような構築に用いられる他の通常の材料から形成される。
【０００６】
基本要素として用いられる幾何学的形状の空気透過性のシェル形成シート部分は、例えば三角形、四角形、五角形、六角形、七角形、八角形等またはこれらを組み合わせたもののような、あらゆる公知の形状とすることができる。このようなシェル部分の平らな結合表面の相互連結は、適用可能であり結合表面を容易に分離させることができる接着手段（例えば、ティコトロピック（ｔｉｘｏｔｒｏｐｉｃ）接着剤）の影響を受ける。接着手段の乾燥または硬化、および相互接続位置における本質的な剛性の増大の後に、完全なシェル構造の高い記憶効果を得るために、これらの結合表面は引き続いて骨組みを形成する。
【０００７】
シェル構造により閉じられる中空の内部空間は、部分的に複数の比較的小さな粒子により満たされる。これらの粒子は天然物またはプラスチック材料、例えば発泡スチロールから製造される。これらの形状復帰粒子は、本質的にはシェル構造の一時的な形状復帰性質を支援するために用いられる。
【０００８】
人間が椅子家具に座ったり横になったりする場合には、シェル構造が変形して内部にある粒子が液体のように動く。このことにより、着席者または横になった者の体の周りの圧力の、安定的および良好な分配が行われる。人間が立ち上がったときには、形状復帰骨組みが現状の球状に復帰し、粒子は再び移動する。これらの粒子は、シェル構造の中空空間内に直接的に満たすことができるが、バッグまたは類似品のような空気透過性を有する幅の広い柔軟な適合するカバー内に詰められたものであってもよい。
【０００９】
例えば子供用の小さな椅子家具のようなある実施の形態において、家具構造は例えば２つの半球部分のような２つの球形部分から構成されていてもよい。良好な記憶効果の性質を有する柔軟性のある骨組みの効果は、製造工程、例えば成形工程における前述の球形部分内の適合する分離された骨組み部分の一体化により得てもよい。これらの骨組み部分は、骨組みの実際の骨格として、例えばプラスチックまたは他の形状復帰材料から製造することができる。
【００１０】
座ったり横になったりする間に形状復帰の性質を維持するような前述の軽量の家具構造を適用することにより、椅子家具を例えば床で転がすことにより容易に移動させることができる。さらに一方ではこの椅子家具は高い美的価値を有し、このことにより広告やマーケッティング目的に非常に適している。椅子家具は遊技用ボールまたは惑星（地球、月等）の形状となっていてもよく、および／または外面に１または複数の画像、カラーの表面、広告、ロゴ等が形成されていてもよい。
【発明を実施するための最良の形態】
【００１１】
添付図面１乃至１１を参照して本発明を実施の形態により以下に説明する。
【００１２】
図１に示すように、米国特許第６２７９１８４号による公知の椅子家具Ｘは、厚さが薄いガス浸透性を有する内部および外部の表面部分（左側部分１および右側部分２）と、これらの間にある正方形のシェル部分３とを備えている。正方形のシェル部分３および内部表面部分（図示せず）の自由端は、長方形部分４により閉じられている。
【００１３】
図２に、本発明による椅子家具５をこの椅子家具５に座った人間６とともに示す。椅子家具５の寸法および原形復帰の度合いは、大人の人間６の使用に適合するものとなっている。
【００１４】
本発明による椅子構造の他の実施の形態において、五角形および六角形の基本要素は、公知の形状の（古いタイプの）サッカーボールを形作るような方法で、組み合わせられて相互に連結している。（図３乃至図７は、椅子家具構造のいくつかの組み立て段階およびこのようにして組み立てられた椅子家具を示す。）
【００１５】
図３は、シェル形成シート部分７、８の基本パターンを示し、この基本パターンは、５つの六角形部分８により周りが囲まれた中央の五角形部分７から構成されている。図４に示すように、基本パターンは、球形形状９を取り囲むよう複数の各々の五角形部分７または六角形部分８によって設けられていてもよい。図５に示すように、椅子家具９となるよう組み立てられる五角形部分７および六角形部分８は、最後の閉じ用の五角形部分が設けられていない。この段階において、椅子家具構造９は、複数の比較的小さな形状復帰粒子（図示せず）が部分的または完全に満たされていてもよい。この形状復帰粒子は天然物またはプラスチック材料から製造され、六角形部分（図示せず）によりシールされている。さらに、図６および図７に示すように、この椅子家具構造は、装飾用／保護用のカバー１０により仕上げられてもよい。図６において、椅子家具構造９は部分的にカバー１０により覆われたものとなっている。図７に示すように、カバーは完全に取り付けられ、そして各々椅子家具９上に取り囲みカバーが取り付けられると、図２に示すような椅子家具が完成する。
【００１６】
図８および図９に、本発明による椅子家具における他の考えうる３次元の実施の形態の概観を示す。図８に、四面体１１、立方体１２、八面体１３、十二面体１４、二十面体１５、切頂八面体１６、立方八面体１７、切頂立方体１８および切頂八面体１９が示されている。図９に、斜方立方八面体２０、斜方切頭立方八面体２１、ねじれ立方体２２、二十・十二面体２３、切頂十二面体２４、切頂二十面体２５、斜方二十・十二面体２６、斜方切頭二十・十二面体２７が示されている。本発明による椅子家具構造に用いられる、いくつかの他の考えうるパターン形状を図１０および図１１に示す。六角形／略三角形２８、六角形／四角形／三角形２９、十二角形／六角形／四角形３０および八角形／四角形３１により構築されるパターンが示されている。さらに、図１１には、２つの形状のバリエーションである四角形／三角形のパターン３２ａおよび３２ｂ、ならびに２つの形状のバリエーションである六角形／三角形のパターン３３ａおよび３３ｂが示されている。
【００１７】
本発明の範囲内において多くの非限定的な類似の解決法が存在することは明らかであろう。広告目的のために、椅子または横たわり可能な家具はビール缶形状、マグナム型アイスクリームの形状またはこれらに似たような形状となっていてもよい。
【００１８】
例えば乳児用椅子として小さな３次元形状が選択された場合には、必要とされる椅子の形状復帰性質に対応する骨組み材料の壁の厚さや、粒子を満たさなくても大丈夫であることについて、実験により確認することができる。円筒形の３次元形状である場合には、椅子家具は２、３人の人間が乗るものとすることができ、またはソファとして使用することができる。簡潔に言えば、本発明の同じ原理により、様々な応用例を考え出すことができる。
【図面の簡単な説明】
【００１９】
【図１】米国特許第６２７９１８４号による公知の球状の椅子家具である。
【図２】使用中における本発明による椅子家具である。
【図３】本発明による記憶効果が増大した球状の軽量の椅子家具構造の相互に連結した複数のシェル形成シート部分の側面図である。
【図４】図３に示すものよりも多くの、相互に連結したシェル形成シート部分の側面図である。
【図５】本発明による記憶効果が増大した球状の軽量の椅子家具構造の側面図であって、一つのシート部分のみが取り除かれたような側面図である。
【図６】部分的に装飾用／保護用のカバー層により覆われた、記憶効果が増大した球状の軽量の家具構造の側面図である。
【図７】球状の軽量の椅子家具構造を適用することにより得られる椅子家具一式の側面図である。
【図８】記憶効果が増大した軽量の椅子構造における、他の複数の３次元の実施の形態の概略図である。
【図９】記憶効果が増大したほぼ球状の軽量の椅子構造における、他の複数の実施の形態の概略図である。
【図１０】記憶効果が増大した球状の軽量の椅子構造に用いられる基本要素のパターンについての、複数の実施の形態の概略図である。
【図１１】記憶効果が増大した球状の軽量の椅子構造に用いられる基本要素のパターンについての、他の複数の実施の形態の概略図である。
【図１】
2006502792.tif 000003
【図２】
2006502792.tif 000004
【図３】
2006502792.tif 000005
【図４】
2006502792.tif 000006
【図５】
2006502792.tif 000007
【図６】
2006502792.tif 000008
【図７】
2006502792.tif 000009
【図８】
2006502792.tif 000010
【図９】
2006502792.tif 000011
【図１０】
2006502792.tif 000012
【図１１】
2006502792.tif 000013
【国際調査報告】
2006502792.tif 000014
2006502792.tif 000015
2006502792.tif 000016